(57)【要約】【課題】各ユーザの健康情報を共有可能な、ユーザの出退勤及び健康を管理する出退勤及び健康管理システムを提供する。【解決手段】情報処理装置１と活動量計３とからなる出退勤及び健康管理システムであって、情報処理装置１は、ユーザ情報を記憶するユーザ情報記憶手段と、前記ユーザ情報を表示する表示手段と、現在時刻を計時する計時手段と、ユーザの活動量に関する情報を前記ユーザ情報記憶手段に記憶させ、現在時刻を出勤時刻あるいは退勤時刻として、前記ユーザ情報記憶手段に記憶させ、前記ユーザ情報を前記表示手段に表示させる情報処理装置制御手段と、を有し、活動量計３は、ユーザの動きを検知する体動検出手段と、前記ユーザの活動量に関する情報を記憶する記憶手段と、前記ユーザの活動量に関する情報を生成し、前記記憶手段に記憶させ、ユーザ識別情報と前記ユーザの活動量に関する情報とを出力する制御手段と、を有する構成とした。【選択図】図１
2017004151.tif 000002
【特許請求の範囲】
【請求項１】
情報処理装置と活動量計とからなる出退勤及び健康管理システムであって、
前記情報処理装置は、
ユーザの活動量に関する情報、ユーザの出勤時刻及び退勤時刻を含むユーザ情報をユーザ識別情報に関連付けて記憶するユーザ情報記憶手段と、
前記ユーザ情報記憶手段に記憶されている前記ユーザ情報を表示する表示手段と、
現在時刻を計時する計時手段と、
前記活動量計から前記ユーザの活動量に関する情報を受信すると、当該ユーザの活動量に関する情報を前記ユーザ情報記憶手段に記憶させ、
前記活動量計から前記ユーザ識別情報を受信すると、計時手段を参照して現在時刻を出勤時刻あるいは退勤時刻として、前記ユーザ情報記憶手段に記憶させ、
前記ユーザ情報記憶手段に記憶されている前記ユーザ情報を前記表示手段に表示させる情報処理装置制御手段と、を有し、
前記活動量計は、
ユーザの動きを検知する体動検出手段と、
前記ユーザの活動量に関する情報を記憶する記憶手段と、
前記体動検出手段による検出結果に基づいて、ユーザの活動状態を測定して前記ユーザの活動量に関する情報を生成し、前記記憶手段に記憶させると共に、前記ユーザ識別情報と前記ユーザの活動量に関する情報とを出力する制御手段と、を有することを特徴とする、出退勤及び健康管理システム。
【請求項２】
前記ユーザ情報記憶手段に、ユーザ情報として歩行数及び身体活動の量を示すエクササイズが記憶されており、
前記情報処理装置制御手段は、前記ユーザ情報記憶手段に記憶されている前記歩行数及び前記エクササイズを呼び出してグラフ化して、前記表示手段に表示させることを特徴とする、請求項１に記載の出退勤及び健康管理システム。
【請求項３】
前記情報処理装置は、
歩行数及び活動時間とからなるしきい値に対応して、判定結果が記憶されているしきい値情報記憶手段を更に有し、
前記情報処理装置制御手段は、前記しきい値情報記憶手段を参照して、前記ユーザ識別情報に係る歩行数及び活動時間について判定し、判定結果を前記表示手段に表示させることを特徴とする、請求項１に記載の出退勤及び健康管理システム。
【請求項４】
前記情報処理装置は、
歩行数及び活動時間に対応する病気の予防ラインを示す図が記憶されている病気予防ライン図記憶手段を更に有し、
前記情報処理装置制御手段は、前記表示手段に前記病気の予防ラインを示す図を表示させ、当該図上に前記ユーザ識別情報に係る歩行数及び活動時間をプロットした点を表示させることを特徴とする、請求項１に記載の出退勤及び健康管理システム。
【請求項５】
前記情報処理装置制御手段は、前記ユーザ情報記憶手段に記憶されている前記ユーザの活動量に関する情報が、過去の情報と比較して、低下している場合に、前記表示手段にその旨の警告を表示させることを特徴とする、請求項１に記載の出退勤及び健康管理システム。
【請求項６】
前記情報処理装置は、
歩行数及び身体活動の量を示すエクササイズのしきい値が記憶されているしきい値情報記憶手段を更に有し、
前記情報処理装置制御手段は、前記ユーザ情報記憶手段に記憶されている歩行数及びエクササイズと、前記しきい値情報記憶手段に記憶されているしきい値とを比較して、しきい値以下の場合に、前記表示手段にその旨の警告を表示させることを特徴とする、請求項１に記載の出退勤及び健康管理システム。
【発明の詳細な説明】
【技術分野】
【０００１】
本発明は、ユーザの出退勤及び健康を管理する出退勤及び健康管理システムに関する。
【背景技術】
【０００２】
独立法人労働政策研究・研修機構の調査によると約６割の事業所（企業）で、メンタルヘルスに問題を抱える不調者がおり、その数は今後も増加傾向にある。
【０００３】
そして、メンタルヘルスに問題を抱える不調者が休職した場合、事業所（企業）は、欠勤等の労働損失、疾病・事故への給付、周囲の社員に与える損失等の様々なコストを負担する必要が生じる。
【０００４】
ところで、抑うつ症状と身体活動の間には、双方向の関係がある。即ち、身体活動のレベルが高まるとうつの症状が減り、逆に、うつの症状が増えると身体活動のレベルが減るという関係である。
【０００５】
一方、ユーザが携帯することによって、当該ユーザの身体活動の量を測定する活動量計が既に存在する。例えば、特許文献１では、歩行・走行による消費カロリと、歩行・走行以外の運動や日常作業等での消費カロリとを、正確に判別して測定することにより、活動量の測定精度を高めることができる活動量計の構成が開示されている。
【先行技術文献】
【特許文献】
【０００６】
【特許文献１】特開２０１３−０４８７２０号公報
【発明の概要】
【発明が解決しようとする課題】
【０００７】
しかしながら、活動量計を用いてユーザが個人個人で自身の健康管理を行うことは可能であるが、継続しないのが通常である。
【０００８】
また、ユーザである社員（スタッフ）が個人個人で自身の健康管理をしていても、事業所（企業）側ではそれを把握できない。
【０００９】
そこで本発明は、上記課題に鑑みて、各ユーザの健康情報を共有可能な、ユーザの出退勤及び健康を管理する出退勤及び健康管理システムを提供することを目的とする。
【課題を解決するための手段】
【００１０】
請求項１の発明は、情報処理装置と活動量計とからなる出退勤及び健康管理システムであって、
前記情報処理装置は、
ユーザの活動量に関する情報、ユーザの出勤時刻及び退勤時刻を含むユーザ情報をユーザ識別情報に関連付けて記憶するユーザ情報記憶手段と、
前記ユーザ情報記憶手段に記憶されている前記ユーザ情報を表示する表示手段と、
現在時刻を計時する計時手段と、
前記活動量計から前記ユーザの活動量に関する情報を受信すると、当該ユーザの活動量に関する情報を前記ユーザ情報記憶手段に記憶させ、
前記活動量計から前記ユーザ識別情報を受信すると、計時手段を参照して現在時刻を出勤時刻あるいは退勤時刻として、前記ユーザ情報記憶手段に記憶させ、
前記ユーザ情報記憶手段に記憶されている前記ユーザ情報を前記表示手段に表示させる情報処理装置制御手段と、を有し、
前記活動量計は、
ユーザの動きを検知する体動検出手段と、
前記ユーザの活動量に関する情報を記憶する記憶手段と、
前記体動検出手段による検出結果に基づいて、ユーザの活動状態を測定して前記ユーザの活動量に関する情報を生成し、前記記憶手段に記憶させると共に、前記ユーザ識別情報と前記ユーザの活動量に関する情報とを出力する制御手段と、を有する、出退勤及び健康管理システムとした。
【００１１】
請求項２の発明は、前記ユーザ情報記憶手段に、前記ユーザの活動量に関する情報として歩行数及び身体活動の量を示すエクササイズが記憶されており、
前記情報処理装置制御手段は、前記ユーザ情報記憶手段に記憶されている前記歩行数及び前記エクササイズを呼び出してグラフ化して、前記表示手段に表示させる、請求項１に記載の出退勤及び健康管理システムとした。
【００１２】
請求項３の発明は、前記情報処理装置は、
歩行数及び活動時間とからなるしきい値に対応して、判定結果が記憶されているしきい値情報記憶手段を更に有し、
前記情報処理装置制御手段は、前記しきい値情報記憶手段を参照して、前記ユーザ識別情報に係る歩行数及び活動時間について判定し、判定結果を前記表示手段に表示させる、請求項１に記載の出退勤及び健康管理システムとした。
【００１３】
請求項４の発明は、前記情報処理装置は、
歩行数及び活動時間に対応する病気の予防ラインを示す図が記憶されている病気予防ライン図記憶手段を更に有し、
前記情報処理装置制御手段は、前記表示手段に前記病気の予防ラインを示す図を表示させ、当該図上に前記ユーザ識別情報に係る歩行数及び活動時間をプロットした点を表示させる、請求項１に記載の出退勤及び健康管理システムとした。
【００１４】
請求項５の発明は、前記情報処理装置制御手段は、前記ユーザ情報記憶手段に記憶されている前記ユーザの活動量に関する情報が、過去の情報と比較して、低下している場合に、前記表示手段にその旨の警告を表示させる、請求項１に記載の出退勤及び健康管理システムとした。
【００１５】
請求項６の発明は、前記情報処理装置は、
歩行数及び身体活動の量を示すエクササイズのしきい値が記憶されているしきい値情報記憶手段を更に有し、
前記情報処理装置制御手段は、前記ユーザ情報記憶手段に記憶されている歩行数及びエクササイズと、前記しきい値情報記憶手段に記憶されているしきい値とを比較して、しきい値以下の場合に、前記表示手段にその旨の警告を表示させる、請求項１に記載の出退勤及び健康管理システムとした。
【発明の効果】
【００１６】
請求項１〜６の発明によれば、活動量計をいわゆるタイムカードとして用いることができ、活動量計からユーザ識別情報を受信すると、情報処理装置で出勤時刻又は退勤時刻が記憶されるため、便宜である。また、事業所（企業）等は、情報処理装置で社員（スタッフ）の出退勤を管理することができる。
【００１７】
また、各社員（スタッフ）は自身の活動量や他の社員（スタッフ）の活動量が情報処理装置で表示されるため、自身の健康意識が高まる。また、事業所（企業）は、各社員（スタッフ）の活動量を閲覧できるため、活動量を目安に、各社員（スタッフ）に対し健康マネジメントを行うことができる。
【００１８】
また請求項３及び４の発明によれば、歩行数及び活動時間と、病気の予防ラインとの関係を明確に示すことで、社員等は自身の歩行数及び活動時間の目安を推し量ることができ、健康意識が高まる。
【００１９】
また請求項５及び６の発明によれば、ユーザの活動量に関する情報が、過去の情報と比較して低下している場合等に、前記表示手段にその旨の警告を表示させる構成としたため、社員等は、自身の活動量の低下や活動量が低いことを明確に認識することができ、事業所（企業）等も当該社員（スタッフ）に活動量の増加を勧めることができる。
【図面の簡単な説明】
【００２０】
【図１】本発明に係る実施例１の出退勤及び健康管理システムの全体を示す概念図である。
【図２】本発明に係る実施例１の情報処理装置の全体的な構成を例示的に示す概念図である。
【図３】本発明に係る実施例１の情報処理装置の表示手段でユーザ情報を表示した状態を例示的に示す説明図である。
【図４】本発明に係る実施例１の情報処理装置の表示手段でユーザ情報を表示した状態を例示的に示す説明図である。
【図５】本発明に係る実施例１の情報処理装置のユーザ情報記憶領域の構造を模式的に示した図である。
【図６】本発明に係る実施例１の活動量計の全体的な構成を例示的に示す概念図である。
【図７】本発明に係る他の実施例の情報処理装置のしきい値情報記憶領域の構造を模式的に示した図である。
【図８】本発明に係る実施例１の情報処理装置の表示手段で歩行数・活動時間に対応する病気の予防ラインを示す図を表示した状態を例示的に示す説明図である。
【発明を実施するための形態】
【００２１】
本発明は、情報処理装置と活動量計とからなる出退勤及び健康管理システムであって、前記情報処理装置は、ユーザの活動量に関する情報、ユーザの出勤時刻及び退勤時刻を含むユーザ情報をユーザ識別情報に関連付けて記憶するユーザ情報記憶手段と、前記ユーザ情報記憶手段に記憶されている前記ユーザ情報を表示する表示手段と、現在時刻を計時する計時手段と、前記活動量計から前記ユーザの活動量に関する情報を受信すると、当該ユーザの活動量に関する情報を前記ユーザ情報記憶手段に記憶させ、前記活動量計から前記ユーザ識別情報を受信すると、計時手段を参照して現在時刻を出勤時刻あるいは退勤時刻として、前記ユーザ情報記憶手段に記憶させ、前記ユーザ情報記憶手段に記憶されている前記ユーザ情報を前記表示手段に表示させる情報処理装置制御手段と、を有し、前記活動量計は、ユーザの動きを検知する体動検出手段と、前記ユーザの活動量に関する情報を記憶する記憶手段と、前記体動検出手段による検出結果に基づいて、ユーザの活動状態を測定して前記ユーザの活動量に関する情報を生成し、前記記憶手段に記憶させると共に、前記ユーザ識別情報と前記ユーザの活動量に関する情報とを出力する制御手段と、を有する構成とすることによって、活動量計をいわゆるタイムカードとして用いることができ、活動量計からユーザ識別情報を受信すると、情報処理装置で出勤時刻又は退勤時刻が記憶されるため、便宜である。
【実施例１】
【００２２】
＜出退勤及び健康管理システムＡの構成＞
図１は、出退勤及び健康管理システムＡの構成を示す概念図である。健康管理システムＡは、主として、情報処理装置１と活動量計３とから構成されている。なお、図１では、活動量計３を３個用いる例が示されているが、この構成に限定されるものではなく、活動量計３の数は複数であっても単数であっても良い。
【００２３】
＜情報処理装置１の構成＞
情報処理装置１は、例えば、タブレット端末やノートパソコンといった、プログラム制御により動作する情報処理装置である。なお、情報処理装置１の設置方法は、例えば、卓上型や自立型のサイネージとして設置したり、情報処理装置１としてタブレット端末を用いて、卓上や扉に設置する。
【００２４】
情報処理装置１のハードウェア構成について、図２を参照して説明する。図２は、情報処理装置１のハードウェア構成を模式的に示した概念図である。
【００２５】
図２において、制御手段１１は、例えば、ＣＰＵ(＝Central Processing Unit)であって、後述する記憶手段１２のＨＤ等に格納されているアプリケーションプログラム、オペレーティングシステム（ＯＳ）や制御プログラム等を実行し、記憶手段１２のＲＡＭ等にプログラムの実行に必要な情報、ファイル等を一時的に格納する制御を行う。
【００２６】
制御手段１１は、読取手段１８を通じて、活動量計３からユーザ識別情報（ユーザＩＤ）とユーザの活動量に関する情報を受信する制御を行う。
【００２７】
制御手段１１は、入力手段１６を通じて出勤時刻である旨の命令を受信すると共に、読取手段１８を通じて活動量計３からユーザ識別情報を受信すると、計時手段１７を参照して当該現在時刻を出勤時刻として、受信したユーザ識別情報と同一のユーザ識別情報に関連付けてユーザ情報記憶領域１２１に記憶させる制御を行う。また、制御手段１１は、入力手段１６を通じて退勤時刻である旨の命令を受信すると共に、読取手段１８を通じて、活動量計３からユーザ識別情報を受信すると、計時手段１７を参照して当該現在時刻を退勤時刻として、受信したユーザ識別情報と同一のユーザ識別情報に関連付けてユーザ情報記憶領域１２１に記憶させる制御を行う。
【００２８】
また、制御手段１１は、読取手段１８を通じて、活動量計３からユーザ識別情報とユーザの活動量に関する情報を受信すると、受信したユーザ識別情報と同一のユーザ識別情報に関連付けて、受信したユーザの活動量に関する情報をユーザ情報としてユーザ情報記憶領域１２１に記憶させる制御を行う。なお、中強度の活動時間については、制御手段１１は、ユーザの活動量に関する情報の１つとして受信したアクティブ歩行数を１２０（＝1分間当たりの歩行数）で除して算出し、ユーザ情報記憶領域１２１に記憶させる制御を行う。
【００２９】
また、制御手段１１は、ユーザ情報記憶領域１２１に記憶されているユーザ情報を呼び出して、表示手段１５に表示させる制御を行う。例えば、図３に示すように、制御手段１１は、読取手段１８を通じて、活動量計３からユーザ識別情報を受信すると、ユーザ情報記憶領域１２１に記憶されている、当該ユーザ識別情報に係る歩行数及びアクティブ歩行数を呼び出して、グラフ化（例えば、図３では棒グラフ）して表示させ、消費カロリや脂肪燃焼量を呼び出して、グラフ化（例えば、図３では折れ線グラフ）して表示させる制御を行う。なお、表示させる前に、演算が必要な項目については、制御手段１１は、所定の演算を行った上で、演算結果を表示させる制御を行う。図３の例では、２週間の歩行数の平均を表示させるため、当該ユーザ識別情報に係る２週間分の各歩行数を呼び出して、２週間の歩行数の平均を演算した上で、表示させる制御を行う。また、他のユーザの歩行数の平均を表示させるため、他の各ユーザ識別情報に係る歩行数を呼び出して、他のユーザの歩行数の平均を演算し、表示させる制御を行う。
【００３０】
また、例えば、図４に示すように、制御手段１１は、読取手段１８を通じて、活動量計３からユーザ識別情報を受信すると、ユーザ情報記憶領域１２１に記憶されている、当該ユーザ識別情報に係る歩行数及びエクササイズを呼び出して、グラフ化（例えば、図４では歩行数は棒グラフ、エクササイズは折れ線グラフ）して表示させる制御を行う。なお、表示させる前に、演算が必要な項目については、制御手段１１は、所定の演算を行った上で、演算結果を表示させる制御を行う。図４の例では、１か月の歩行数及びエクササイズの平均を２０１５年１月〜３月までの３か月にわたって表示させるため、当該ユーザ識別情報に係る３か月分の各歩行数及び各エクササイズを呼び出して、１か月毎の歩行数及びエクササイズの平均を演算した上で、表示させる制御を行う。
【００３１】
記憶手段１２のＲＯＭ（図示省略）等は、内部に基本Ｉ／Ｏプログラム等のプログラム、基本処理において使用する各種データを記憶する。記憶手段１２のＲＡＭ（図示省略）等は各種データを一時記憶するためのものであり、ＣＰＵ等の制御手段１１の主メモリ、ワークエリア等として機能する。
【００３２】
外部記憶ドライブ１３は、記録媒体へのアクセスを実現するためのものであり、メディア（記録媒体）１４に記憶されたプログラム等をサーバ１０にロードすることができる。尚、メディア１４には、例えば、フレキシブルディスク（ＦＤ）、ＣＤ−ＲＯＭ、ＣＤ−Ｒ、ＣＤ−ＲＷ、ＰＣカード、ＤＶＤ、ＩＣメモリカード、ＭＯ、メモリスティック等が含まれる。
【００３３】
記憶手段１２は、例えば、ＨＤ（ハードディスク）等の外部記憶装置を有しており、大容量メモリとして機能する。記憶手段１２のＨＤには、アプリケーションプログラム、ＯＳ、制御プログラム、関連プログラム等が格納される。また、記憶手段１２のＨＤ内には、図５に示すように、ユーザ情報記憶領域１２１が設けられており、ユーザ識別情報（ユーザＩＤ）に関連付けて、ユーザの氏名・当該ユーザ情報を取得した日付・出勤時刻・退勤時刻・歩行数・（歩行数のうちの）アクティブ歩行数・中強度の活動時間・エクササイズ（Ex）・消費カロリ・脂肪燃焼量等のユーザ情報が記憶されている。なお、活動量計識別情報をユーザ識別情報として用いる構成の場合には、ユーザ情報は活動量計識別情報に関連付けて記憶されている。また、ユーザ情報記憶領域１２１に記憶されているユーザ情報は、ユーザ情報記憶領域１２１の記憶容量にもよるが、累積的に記憶されるため、通常、ある程度過去のユーザ情報（例えば、直近３か月間のユーザ情報、直近１年間のユーザ情報）も記憶されている。
【００３４】
表示手段１５は、例えば液晶ディスプレイ、有機ELディスプレイ、CRTであり、入力手段１６から入力されたコマンドや、それに対する情報処理装置１の応答出力等を表示するものである。特に、表示手段１５は、ユーザ情報記憶領域１２１に記憶されているユーザ情報を表示する。
【００３５】
入力手段１６は、例えば、キーボードやポインティングデバイス（マウス等）、タッチパネルである。入力手段１６を通じて、情報処理装置１に対して、情報処理装置１を制御するコマンド等を入力できる。
【００３６】
計時手段１７は、例えばリアルタイムクロックであって、現在時刻を計時する。なお、計時手段１７に現在時刻を正確に計時させるため、定期的に制御手段１１が、タイムサーバ（＝Network Time Protocolサーバ、図示省略）に現在時刻の問い合わせを行い、計時手段１７に反映させる構成としても良い。読取手段１８は、例えばFeliCaリーダであって、活動量計３から情報や信号を読み取る。詳しくは、読取手段１８は、通信用媒体である交流磁界（図示省略）を用いて活動量計３から情報や信号を読み取る。
【００３７】
システムバス２０は、情報処理装置１内のデータの流れを司るものである。１９は通信手段であり、この通信手段１９を介して情報処理装置１は外部装置と情報や信号のやり取りを行う。通信手段１９は、ＮＦＣ（Near Field Communication）等の近距離無線通信規格、又はＢＬＥ（Bluetooth Low Energy、「Bluetooth」は登録商標）等の小電力無線通信規格に対応している。
【００３８】
尚、以上の各装置と同等の機能を実現するソフトウェアにより、ハードウェア装置の代替として構成することもできる。
【００３９】
本実施例では、メディア１４から本実施例に係るプログラム及び関連データを直接記憶手段１２のＲＡＭ等にロードして実行させる例を示しているが、これ以外にも、本実施例に係るプログラムを動作させる度に、既にプログラムがインストールされている記憶手段１２のＨＤ等から記憶手段１２のＲＡＭ等にロードするようにしてもよい。また、本実施例に係るプログラムを記憶手段１２のＲＯＭ等に記録しておき、これをメモリマップの一部をなすように構成し、直接制御手段１１で実行することも可能である。
【００４０】
また、本実施例では、説明の便宜のため、情報処理装置１を１つの装置で実現した構成について述べるが、複数の装置にリソースを分散した構成によって実現してもよい。例えば、記憶や演算のリソースを複数の装置に分散した形に構成してもよい。或いは、情報処理装置１上で仮想的に実現される構成要素毎にリソースを分散し、並列処理を行うようにしてもよい。
【００４１】
＜活動量計３の構成＞
活動量３のハードウェア構成について、図６を参照して説明する。図６は、活動量計３のハードウェア構成を模式的に示したブロック図である。
【００４２】
活動量計３は、図６に示すように少なくとも体動検出手段３１、記憶手段３２、計時手段３３、電源３４、通信手段３５、制御手段３６を有している。
【００４３】
体動検出手段３１は、互いに直交するＸＹＺの３方向の加速度を検出する、例えば３Ｄ加速度センサ等のモーションセンサであり、ユーザの垂直方向や水平方向の動きを検知する。
【００４４】
記憶手段３２は、例えばメモリチップであって、当該活動量計３を携帯しているユーザの歩行数、消費カロリ等のユーザの活動量に関する情報を記憶する。また、記憶手段３２は、活動量計３の動作プログラム等を記憶している。また、記憶手段３２は、活動量計３を使用・携帯するユーザを識別するユーザ識別情報（ユーザID）を記憶している。なお、ユーザ識別情報として、各活動量計３を識別する活動量計識別情報を用いる構成としても良い。
【００４５】
計時手段３３は、タイマとして任意時点からの経過時間を測定すると共に、カレンダとして現在日時及び現在時刻を計時する。
【００４６】
電源３４は、例えば活動量計３に搭載されたボタン電池であって、活動量計３の各構成要素に動作電源を供給する。
【００４７】
通信手段３５は、例えば通信チップ及びチップアンテナであって、情報処理装置１との間で情報や信号のやり取りを行う。通信手段３５は、ユーザの活動量に関する情報を送信する。通信手段３５は、ＮＦＣ（Near Field Communication）等の近距離無線通信規格、又はＢＬＥ（Bluetooth Low Energy、「Bluetooth」は登録商標）等の小電力無線通信規格に対応している。
【００４８】
制御手段３６は、例えばマイクロプロセッサであって、動作プログラムを実行することにより活動量計３の各構成要素の動作を制御する。制御手段３６は、体動検出手段３１による検出結果に基づいて、また、計時手段３３を参照して、ユーザの活動状態を測定して活動量に関する情報（例えば、単位時間当たりの身体活動の強度、歩行数、アクティブ歩行数、エクササイズ、消費カロリ、脂肪燃焼量）を生成し、記憶手段３２に記憶させる制御を行う。なお、単位時間当たりの身体活動の強度（単位：METs）については、身体活動の強さを表わす指標である。例えば、安静にしている状態は１METsに相当し、普通歩行（４Km/時）は３METsに相当し、掃除機がけは３．５METsに相当し、ジョギングは７METsに相当する。そして、この単位時間あたりの身体活動の強度について、制御手段３６は、体動検出手段３１による検出結果に基づいて算出する。詳しくは例えば、制御手段３６は、体動検出手段３１による検出結果に基づき、一定時間における加速度の標準偏差を算出し、所定の換算式を用いて標準偏差から身体活動の運動強度を算出し、記憶手段３２に記憶させる制御を行う。また、歩行数については、制御手段３６は、体動検出手段３１による検出結果に基づき、歩行数の中から「アクティブ歩行数」を区分けして記憶させる制御を行う。例えば、歩行数「１５,０００歩」のうち、アクティブ歩行数が「２,０００歩」と記憶させる制御を行う。なお、本実施例では、歩行数の中から「アクティブ歩行数」を区分けして記憶させる構成を示したが、この構成に限定されるものではなく、歩行数の中から「アクティブ歩行数」及び「ＪＯＧ歩行数」を区分けして記憶させる構成としても良い。また、「アクティブ歩行数」とは、３メッツ（＝METs）以上〜６メッツ未満の歩行数であり、例えば、速歩きや山歩き等の中強度の運動に当たる。「ＪＯＧ歩行数」とは、６メッツ以上の歩行数であり、例えば、ジョギングや駆け足等の高強度の運動に当たる。また、エクササイズ（単位：Ex）は、身体活動の量を表す単位で、制御手段３６は、身体活動の強度に、身体活動の活動時間を乗算して算出し、記憶手段３２に記憶させる制御を行う。
【００４９】
また制御手段３６は、記憶手段３２に記憶されているユーザ識別情報を呼び出して、通信手段３５を通じて情報処理装置１に出力する制御を行う。
【００５０】
また制御手段３６は、ユーザの活動量に関する情報を記憶手段３２から呼び出して、通信手段３５を通じて情報処理装置１に出力する制御を行う。
【００５１】
本実施例では、活動量計３が少なくとも、体動検出手段３１、記憶手段３２、計時手段３３、電源３４、通信手段３５、制御手段３６を有する構成を示したが、この構成に限定されるものではなく、年齢、性別、身長、体重等のユーザの個人情報の入力を受け付ける入力手段や、記憶手段３２に記憶されているユーザの活動量に関する情報を表示する表示手段を更に有する構成としても良い（図示省略）。
【００５２】
次に、出退勤及び健康管理システムＡの処理の流れについて説明する。
【００５３】
＜社員等が活動量計３を携帯＞
社員やスタッフ等のユーザは、活動量計３を携帯する。すると、活動量計３の制御手段３６は、体動検出手段３１による検出結果に基づいて、また、計時手段３３を参照して、ユーザの活動状態を測定して活動量に関する情報を生成し、記憶手段３２に記憶させる制御を行う。
【００５４】
＜社員等の出勤時等＞
当該ユーザが出勤時や退勤時等に、入力手段１６を操作すると共に、活動量計３を情報処理装置１の読取手段１８に翳すと、情報処理装置１の制御手段１１は、活動量計３からユーザ識別情報を受信し、計時手段１７を参照して、当該現在時刻を出勤時刻として、あるいは退勤時刻として、受信したユーザ識別情報と同一のユーザ識別情報に関連付けてユーザ情報記憶領域１２１に記憶させる制御を行う。
【００５５】
また、当該ユーザが活動量計３を情報処理装置１の読取手段１８に翳すと、情報処理装置１の制御手段１１は、活動量計３からユーザ識別情報と共に、ユーザの活動量に関する情報を受信し、受信したユーザ識別情報と同一のユーザ識別情報に関連付けて、受信したユーザの活動量に関する情報をユーザ情報としてユーザ情報記憶領域１２１に記憶させる制御を行う。
【００５６】
＜事業所（企業）等の管理者が操作＞
事業所（企業）等の管理者が、情報処理装置１の入力手段１６に対し所定の操作を行うと、制御手段１１は、ユーザ情報記憶領域１２１に記憶されている各社員（スタッフ）に係るユーザ情報を呼び出して、表示手段１５に表示させる制御を行う。
【００５７】
このように、活動量計３をいわゆるタイムカードとして用いることができ、活動量計３を情報処理装置１に翳すだけで、出勤時刻又は退勤時刻が記憶されるため、便宜である。また、事業所（企業）は、情報処理装置１で社員（スタッフ）の出退勤を管理することができる。
【００５８】
また、各社員（スタッフ）は自身の活動量や他の社員の活動量が表示されるため、自身の健康意識が高まる。また、事業所（企業）は、各社員（スタッフ）の活動量を閲覧できるため、活動量を目安に、各社員（スタッフ）に対し健康マネジメントを行うことができる。
＜変形例＞
【００５９】
情報処理装置１の記憶手段１２のＨＤ内に、図７に示すように、しきい値情報記憶領域１２２が設けられ、歩行数及び活動時間とからなる各しきい値に対応して、判定結果が記憶されている。なお、この各しきい値と判定結果との対応関係については、「中之条研究」に基づくものである。詳しくは、「中之条研究」とは、群馬県中之条町の６５歳以上の全住民である５０００人を対象に、身体活動（歩行数）と病気予防の関係について調査を実施したものである。「中之条研究」では、十数年にわたり緻密な追跡調査を行った結果、要支援・要介護やうつ病や生活習慣病等の様々な病気・病態の予防に必要な一日当たりの「歩行数」と、当該歩行数に占める「速歩き時間（＝中強度で歩行した時間）」という客観的な情報が導き出された。
【００６０】
そして、情報処理装置１の制御手段１１が、しきい値情報記憶領域１２２を参照して、各ユーザ識別情報に係る歩行数及び中強度の活動時間について判定し、判定結果を表示させる構成としても良い。例えば、「歩行数：６５００歩」で「中強度の活動時間：１２分」であった場合、表示手段１５上に「うつ病の予防や認知症・心疾患・脳卒中の予防には足りているが、骨粗鬆症・がん等の予防には足りていない」旨を表示させる制御を行う。
【００６１】
次に、別の変形例について説明する。情報処理装置１の記憶手段１２に病気予防ライン図記憶領域（図示省略）を設け、当該記憶領域に図８に示すように、上述した中之条研究に基づいて作成された１日の歩行数・中強度の活動時間に対応する病気の予防ラインを示す図を記憶させておく。そして、情報処理装置１の制御手段１１は、表示手段１５に病気の予防ラインを示す図を表示させ、当該図上に当該ユーザ識別情報に係る歩行数及び中強度の活動時間をプロットした点を表示させる制御を行う。例えば、図８では、歩行数「４０００歩」、中強度の活動時間「２５分」の点がプロットされている。
【００６２】
このように、歩行数及び活動時間と、病気の予防ラインとの関係を明確に示すことで、社員等は自分自身の歩行数及び活動時間の目安を推し量ることができ、健康意識がより高まる。
【００６３】
また、上記変形例では、情報処理装置１の制御手段１１が、各ユーザ識別情報に係る歩行数及び中強度の活動時間について、しきい値と比べて判定し、判定結果を表示させる構成を示したが、この構成に限定されるものではない。例えば、情報処理装置１の制御手段１１が、各ユーザ識別情報に係る歩行数、中強度の活動時間又はエクササイズについて、情報処理装置１の記憶手段１２のＨＤ内等に記憶されたしきい値と比較し、しきい値以下の場合、表示手段１５にその旨の警告を表示させると共に、事業所（企業）の管理者宛にその旨のＥメールを送信させる構成としても良い。
【００６４】
また例えば、情報処理装置１の制御手段１１が、各ユーザ識別情報に係る歩行数、中強度の活動時間又はエクササイズについて、情報処理装置１の記憶手段１２のＨＤ内等に記憶された過去の情報（先月の情報や先々月の情報等）と比較し、過去の情報より低下している場合に、表示手段１５にその旨の警告を表示させると共に、事業所（企業）の管理者宛にその旨のＥメールを送信させる構成としても良い。
【００６５】
また例えば、情報処理装置１の制御手段１１が、各ユーザ識別情報に係る歩行数、又はエクササイズについて、情報処理装置１の記憶手段１２のＨＤ内等に記憶されたしきい値（例えば、歩行数で８０００歩、エクササイズで４Ex）と比較し、しきい値以下の場合に、表示手段１５にその旨の警告を表示させると共に、事業所（企業）の管理者宛にその旨のＥメールを送信させる構成としても良い。
【００６６】
また、本実施例では、出退勤及び健康管理システムＡの構成要素として、活動量計３を用いる構成を示したが、この構成に限定されるものではない。例えば、活動量計３ではなく、歩行数を数え、情報処理装置１に歩行数に係る情報を出力可能な万歩計（歩行計、「万歩計」は登録商標）を用いる構成としても良い。
【００６７】
以上、本発明の実施例について詳述したが、本発明は、例えば、システム、装置、方法、プログラムもしくは記憶媒体等としての実施態様を取ることが可能である。
【００６８】
また、本発明は、上述した実施例の機能を実現するプログラムを、システムあるいは装置に、直接あるいは遠隔から供給する。そして、そのシステムあるいは装置のコンピュータが供給された当該プログラムからプログラムコードを読み出して実行することによって達成される場合を含む。
【００６９】
したがって、本発明の機能処理をコンピュータで実現するために、このコンピュータにインストールされるプログラム自体も本発明の技術的範囲に含まれる。つまり、本発明は、本発明の機能処理を実現するためのコンピュータプログラム自体も含む。この場合、プログラムの提供方法としては、ＣＤ−ＲＯＭ、ＤＶＤ等の記憶媒体を用いて提供する方法や、電気通信回線を介して提供する方法等が含まれる。
【符号の説明】
【００７０】
Ａ：出退勤及び健康管理システム、
１：情報処理装置、１１：制御手段、１２：記憶手段、１２１：ユーザ情報記憶領域、１２２：しきい値情報記憶領域、１３：外部記憶ドライブ、１４：メディア、１５：表示手段、１６：入力手段、１７：計時手段、１８：読取手段、１９：通信手段、２０：バス、
３：活動量計、３１：体動検出手段、３２：記憶手段、３３：計時手段、３４：電源、３５：通信手段、３６：制御手段
【図１】
2017004151.tif 000003
【図２】
2017004151.tif 000004
【図３】
2017004151.tif 000005
【図４】
2017004151.tif 000006
【図５】
2017004151.tif 000007
【図６】
2017004151.tif 000008
【図７】
2017004151.tif 000009
【図８】
2017004151.tif 000010